(57)【特許請求の範囲】
【請求項１】
所定の交流電力を所定の直流電力に変換して出力する整流装置と、
前記整流装置の出力を複数の負荷装置に各々接続又は非接続する複数の開閉装置と、
前記複数の負荷装置の消費電力の合計値が、所定の電力上限設定値よりも小さくかつ所定の目標電力値との誤差を小さくする値となるように、前記複数の負荷装置の各消費電力に基づいて接続又は非接続とする前記開閉装置を探索し、探索した前記開閉装置を接続又は非接続となるように制御し、前記整流装置の効率が最大となる出力電力である最高効率電力値及び前記電力上限設定値の各々の変更の有無を判定し、前記最高効率電力値及び前記電力上限設定値に変更があった場合、前記目標電力値を、変更された最高効率電力値と変更された電力上限設定値とに基づき変更する制御手段と
を備えることを特徴とする給電システム。
【請求項２】
前記制御手段が、前記直流電力から前記負荷装置を遮断する際、
前記整流装置の出力する直流電力から遮断する選択対象の前記負荷装置の消費電力を減算した値が、前記目標電力値から電力許容範囲を減算した値より小さいか、あるいは前記直流電力が前記電力上限設定値もしくは前記整流装置の最大出力可能電力値より大きく、かつ前記直流電力が前記電力上限設定値または前記最大出力可能電力値より大きくなく、かつ前記直流電力が前記目標電力値を基準とする前記電力許容範囲内に入る場合に、前記遮断する選択対象の負荷装置を遮断する負荷装置として選択する
ことを特徴とする請求項１に記載の給電システム。
【請求項３】
前記制御手段が、前記直流電力から遮断した前記負荷装置を接続する際、
前記整流装置の出力する直流電力が前記目標電力値を基準とする電力許容範囲内に入り、かつ前記直流電力に接続する選択対象対象の前記負荷装置の消費電力を加算した値が前記目標電力値から前記電力許容範囲を減算した値より小さい場合、前記接続する選択対象の負荷装置を接続する負荷装置として選択する
ことを特徴とする請求項１に記載の給電システム。
【請求項４】
前記制御手段が、
探索された順に所定の条件を満たす前記開閉装置を接続又は非接続とするものであり、かつ、
前記消費電力が大きな負荷装置から小さな負荷装置に向かって非接続する前記開閉装置を探索するとともに、前記消費電力が小さな負荷装置から大きな負荷装置に向かって接続する前記開閉装置を探索する
ことを特徴とする請求項１から請求項３のいずれか一項に記載の給電システム。
【請求項５】
前記制御手段が、
探索された順に所定の条件を満たす前記開閉装置を接続又は非接続とするものであり、かつ、
前記消費電力が小さな負荷装置から大きな負荷装置に向かって非接続する前記開閉装置を探索するとともに、前記消費電力が大きな負荷装置から小さな負荷装置に向かって接続する前記開閉装置を探索する
ことを特徴とする請求項１から請求項３のいずれか一項に記載の給電システム。
【請求項６】
前記制御手段が、
探索された順に所定の条件を満たす前記開閉装置を接続又は非接続とするものであり、かつ、
累積遮断時間の短い前記負荷装置から長い前記負荷装置に向かって非接続する前記開閉装置を探索するとともに、前記累積遮断時間の長い負荷装置から短い負荷装置に向かって接続する前記開閉装置を探索する
ことを特徴とする請求項１に記載の給電システム。
【請求項７】
前記制御手段が、
探索された順に所定の条件を満たす前記開閉装置を接続又は非接続とするものであり、かつ、
前記消費電力が大きな負荷装置から小さな負荷装置に向かって非接続する前記開閉装置を探索するとともに、前記消費電力が大きな負荷装置から小さな負荷装置に向かって接続する前記開閉装置を探索する
ことを特徴とする請求項１から請求項３のいずれか一項に記載の給電システム。
【請求項８】
所定の交流電力を所定の直流電力に変換して出力する整流装置と、
前記整流装置の出力を複数の負荷装置に各々接続又は非接続する複数の開閉装置と
を用い、
前記複数の負荷装置の消費電力の合計値が、所定の電力上限設定値よりも小さくかつ所定の目標電力値との誤差を小さくする値となるように、前記複数の負荷装置の各消費電力に基づいて接続又は非接続とする前記開閉装置を探索し、探索した前記開閉装置を接続又は非接続となるように制御し、前記整流装置の効率が最大となる出力電力である最高効率電力値及び前記電力上限設定値の各々の変更の有無を判定し、前記最高効率電力値及び前記電力上限設定値に変更があった場合、前記目標電力値を、変更された最高効率電力値と変更された電力上限設定値とに基づき変更する
ことを特徴とする給電方法。
【請求項９】
所定の交流電力を所定の直流電力に変換して出力する整流装置と、
前記整流装置の出力を複数の負荷装置に各々接続又は非接続する複数の開閉装置と
を用い、
前記複数の負荷装置の消費電力の合計値が、所定の電力上限設定値よりも小さくかつ所定の目標電力値との誤差を小さくする値となるように、前記複数の負荷装置の各消費電力に基づいて接続又は非接続とする前記開閉装置を探索し、探索した前記開閉装置を接続又は非接続となるように制御し、前記整流装置の効率が最大となる出力電力である最高効率電力値及び前記電力上限設定値の各々の変更の有無を判定し、前記最高効率電力値及び前記電力上限設定値に変更があった場合、前記目標電力値を、変更された最高効率電力値と変更された電力上限設定値とに基づき変更する
ことを特徴とする負荷接続制御装置。
【発明の詳細な説明】
【技術分野】
【０００１】
本発明は、負荷に対して電力を供給する給電システム、給電方法及び負荷接続制御装置に関する。
【背景技術】
【０００２】
所定の電源から、複数の負荷に対して電力を供給する給電システムには、過負荷状態等が発生した場合に、複数の負荷の一部を選択的に遮断するようにしたものがある（例えば特許文献１、特許文献２等）。
【０００３】
特許文献１に記載されている遮断負荷選定装置では、負荷毎に遮断優先度を予め設定しておき、原則として遮断優先度が高い順に遮断する負荷を選択する。ただし、遮断する消費電力の大きさが遮断を必要とする電力を超過している場合には、例外的に遮断優先度よりも消費電力の大きさを重視して遮断する負荷を選択する。すなわち、遮断優先度に関わらず遮断する負荷を消費電力の大きさに応じて選択することで、できるだけ不必要な負荷の遮断を防止する。
【０００４】
また、特許文献２に記載されている負荷遮断選択装置では、使用可能な電力を複数の負荷の消費電力が上回る場合に、優先順位の低い負荷が遮断され、消費電力が低下させられる。他方、遮断している負荷がある場合、回復させても使用可能な電力を上回らないときには、優先順位の高い負荷から順に回復する。その際、優先順位は、任意に設定した制御優先順位のほか、消費電力の大きさや消費電力の変動度に応じて設定される。
【先行技術文献】
【特許文献】
【０００５】
【特許文献１】特開平６−２７６６８０号公報
【特許文献２】特開２００８−１２５２９５号公報
【発明の概要】
【発明が解決しようとする課題】
【０００６】
ところで、給電システムにおいては、省エネの要求等によって電源装置に高い効率が求められるとともに、節電の要求等に対応するため消費電力の制限や制御に高い精度が求められている。また、電源装置においては、一般に低負荷時と高負荷時に効率が低下することが知られており、電源装置の効率を高く維持するには、高効率となる所定の出力電力値の近傍に消費電力を制御することが望まれる。
【０００７】
特許文献１や特許文献２に記載されている給電システムでは、複数の負荷の消費電力が遮断が必要となる電力を超えた場合、一部の負荷を遮断することで、消費電力が制限される。すなわち、基準とする所定の消費電力を上回るか否かということを条件に負荷を遮断するか否かの判定が行われる。そのため、消費電力を所定の値の近傍に精度良く制御して高い効率を維持するといったことは容易には行うことができなかった。
【０００８】
本発明は、上記の事情を考慮してなされたものであり、消費電力の最大値の制御や最大値の設定を柔軟に行いつつ、容易に、消費電力を一定の範囲に精度良く制御することができるようにする給電システム、給電方法及び負荷接続制御装置を提供することを目的とする。
【課題を解決するための手段】
【０００９】
上記課題を解決するため、本発明の給電システムは、所定の交流電力を所定の直流電力に変換して出力する整流装置と、前記整流装置の出力を複数の負荷装置に各々接続又は非接続する複数の開閉装置と、前記複数の負荷装置の消費電力の合計値が、所定の電力上限設定値よりも小さくかつ所定の目標電力値との誤差を小さくする値となるように、前記複数の負荷装置の各消費電力に基づいて接続又は非接続とする前記開閉装置を探索し、探索した前記開閉装置を接続又は非接続となるように制御し、前記整流装置の効率が最大となる出力電力である最高効率電力値及び前記電力上限設定値の各々の変更の有無を判定し、前記最高効率電力値及び前記電力上限設定値に変更があった場合、前記目標電力値を、変更された最高効率電力値と変更された電力上限設定値とに基づき変更する制御手段とを備えることを特徴とする。
また、本発明の給電システムは、前記制御手段が、前記直流電力から前記負荷装置を遮断する際、前記整流装置の出力する直流電力から遮断する選択対象の前記負荷装置の消費電力を減算した値が、前記目標電力から電力許容範囲を減算した値より小さいか、あるいは前記直流電力が前記電力上限設定値もしくは前記整流装置の最大出力可能電力値より大きく、かつ前記直流電力が前記電力上限設定値または前記最大出力可能電力値より大きくなく、かつ前記直流電力が前記目標電力を基準とする前記電力許容範囲内に入る場合に、前記遮断する選択対象の負荷装置を遮断する負荷装置として選択することを特徴とする。
また、本発明の給電システムは、前記制御手段が、前記直流電力から遮断した前記負荷装置を接続する際、前記整流装置の出力する直流電力が前記目標電力を基準とする電力許容範囲内に入り、かつ前記直流電力に接続する選択対象の前記負荷装置の消費電力を加算した値が前記目標電力値から前記電力許容範囲を減算した値より小さい場合、前記接続する選択対象の負荷装置を接続する負荷装置として選択することを特徴とする。
【００１０】
また、本発明の給電システムは、前記制御手段が、探索された順に所定の条件を満たす前記開閉装置を接続又は非接続とするものであり、かつ、前記消費電力が大きな負荷装置から小さな負荷装置に向かって非接続する前記開閉装置を探索するとともに、前記消費電力が小さな負荷装置から大きな負荷装置に向かって接続する前記開閉装置を探索することを特徴とする。
【００１１】
また、本発明の給電システムは、前記制御手段が、探索された順に所定の条件を満たす前記開閉装置を接続又は非接続とするものであり、かつ、前記消費電力が小さな負荷装置から大きな負荷装置に向かって非接続する前記開閉装置を探索するとともに、前記消費電力が大きな負荷装置から小さな負荷装置に向かって接続する前記開閉装置を探索することを特徴とする。
【００１２】
また、本発明の給電システムは、前記制御手段が、探索された順に所定の条件を満たす前記開閉装置を接続又は非接続とするものであり、かつ、累積遮断時間の短い前記負荷装置から長い前記負荷装置に向かって非接続する前記開閉装置を探索するとともに、前記累積遮断時間の長い負荷装置から短い負荷装置に向かって接続する前記開閉装置を探索することを特徴とする。
【００１３】
また、本発明の給電システムは、前記制御手段が、探索された順に所定の条件を満たす前記開閉装置を接続又は非接続とするものであり、かつ、前記消費電力が大きな負荷装置から小さな負荷装置に向かって非接続する前記開閉装置を探索するとともに、前記消費電力が大きな負荷装置から小さな負荷装置に向かって接続する前記開閉装置を探索することを特徴とする。
【００１４】
また、本発明の給電方法は、所定の交流電力を所定の直流電力に変換して出力する整流装置と、前記整流装置の出力を複数の負荷装置に各々接続又は非接続する複数の開閉装置とを用い、前記複数の負荷装置の消費電力の合計値が、所定の電力上限設定値よりも小さくかつ所定の目標電力値との誤差を小さくする値となるように、前記複数の負荷装置の各消費電力に基づいて接続又は非接続とする前記開閉装置を探索し、探索した前記開閉装置を接続又は非接続となるように制御し、前記整流装置の効率が最大となる出力電力である最高効率電力値及び前記電力上限設定値の各々の変更の有無を判定し、前記最高効率電力値及び前記電力上限設定値に変更があった場合、前記目標電力値を、変更された最高効率電力値と変更された電力上限設定値とに基づき変更することを特徴とする。
【００１５】
また、本発明の負荷接続制御装置は、所定の交流電力を所定の直流電力に変換して出力する整流装置と、前記整流装置の出力を複数の負荷装置に各々接続又は非接続する複数の開閉装置とを用い、前記複数の負荷装置の消費電力の合計値が、所定の電力上限設定値よりも小さくかつ所定の目標電力値との誤差を小さくする値となるように、前記複数の負荷装置の各消費電力に基づいて接続又は非接続とする前記開閉装置を探索し、探索した前記開閉装置を接続又は非接続となるように制御し、前記整流装置の効率が最大となる出力電力である最高効率電力値及び前記電力上限設定値の各々の変更の有無を判定し、前記最高効率電力値及び前記電力上限設定値に変更があった場合、前記目標電力値を、変更された最高効率電力値と変更された電力上限設定値とに基づき変更することを特徴とする。
【発明の効果】
【００１６】
本発明によれば、制御手段によって、複数の負荷装置の消費電力の合計値が、所定の電力上限設定値よりも小さくかつ所定の目標電力値との誤差を小さくする値となるように、複数の負荷装置の各消費電力に基づいて接続又は非接続とする開閉装置が探索される。すなわち、本発明によれば、電力上限値の制御と目標電力値の誤差を小さくする制御とに対応した開閉装置の選択を行うことができる。よって、消費電力の最大値の制御や最大値の設定を柔軟に行いつつ、容易に、消費電力を一定の範囲に精度良く制御することができる。
【図面の簡単な説明】
【００１７】
【図１】本発明の一実施の形態としての給電システムの構成例を説明するためのシステム図である。
【図２】図１の制御装置ＣＮによる制御動作の一例を示すフローチャートである。
【図３】図２のステップＳ１１２で呼び出される負荷制御処理（処理Ａ）の一例を示すフローチャートである。
【図４】図１の制御装置ＣＮによって制御で用いられる変数の関係を説明するための図である。
【図５】図３のステップＳ２０２で呼び出される負荷遮断制御処理（処理Ｂ）の一例を示すフローチャートである。
【図６】図３のステップＳ２０４で呼び出される負荷投入制御処理（処理Ｃ）の一例を示すフローチャートである。
【図７】図１の制御装置ＣＮによる探索処理の例を説明するための図である。
【発明を実施するための形態】
【００１８】
以下、図面を参照して本発明の実施の形態について説明する。図１は、本発明による給電システムの一実施形態を説明するためのシステム図である。図１に示した給電システム１は、制御装置ＣＮと、整流装置ＲＦと、スイッチ装置ＳＷ０、ＳＷ１、ＳＷ２、ＳＷ３、…と、スイッチ装置ＳＷ０、ＳＷ１、ＳＷ２、ＳＷ３、…間を接続する電源線ＬＮとを備えている。
【００１９】
制御装置ＣＮは、コンピュータとその周辺装置とから構成され、ネットワークＮＷを介して整流装置ＲＦと、スイッチ装置ＳＷ０、ＳＷ１、ＳＷ２、ＳＷ３、…とに接続されている。制御装置ＣＮは、コンピュータで所定のプログラムを実行することで動作し、整流装置ＲＦと、スイッチ装置ＳＷ０、ＳＷ１、ＳＷ２、ＳＷ３、…との間で所定の通信を行い、それらを制御する。
【００２０】
また、制御装置ＣＮは、整流装置ＲＦと、スイッチ装置ＳＷ０、ＳＷ１、ＳＷ２、ＳＷ３、…とから、入出力電力、入出力電圧、入出力電流等を表す情報を受信し、それらの最大値、最小値、平均値や、遮断前の値などの値を記憶する。また、制御装置ＣＮは、負荷装置ＬＤ１、ＬＤ２、ＬＤ３、…の仕様上の消費電力の定格値、最小、最大、平均値等を記憶している。
【００２１】
整流装置ＲＦは、商用電源ＧＰ等から供給される所定の交流電力を入力し、所定の直流電力に変換して出力する。整流装置ＲＦは、内部に例えば、入力された交流電力を所定電圧の直流電力に変換する交流直流変換装置を備えている。交流直流変換装置は、例えば半導体スイッチング素子、整流素子、リアクトル、キャパシタ、トランス等の電子電気素子と、それらの制御を行う制御回路、通信回路等を有して構成されている。そして、整流装置ＲＦは、制御装置ＣＮとの間で所定の制御信号等を送受信することで、制御装置ＣＮに対して入出力電力、電圧、電流や動作状態を示す他の情報を送信したり、制御装置ＣＮからの指示に応じて動作状態を変化させたりする。
【００２２】
スイッチ装置ＳＷ０、ＳＷ１、ＳＷ２、ＳＷ３、…は、内部に半導体素子等からなる開閉回路と、制御装置ＣＮからの指示に応じてその開閉回路を接続又は非接続に制御する制御回路や通信回路を備えている。また、スイッチ装置ＳＷ０、ＳＷ１、ＳＷ２、ＳＷ３、…は、出力電力や出力電流や出力電圧を検知する検知回路を備え、その検知回路によって検知した結果を所定の周期で制御装置ＣＮに対して送信する。図１に示した例では、制御装置ＣＮは、スイッチ装置ＳＷ１、ＳＷ２、ＳＷ３、…の出力電力を計測することで、負荷装置ＬＤ１、ＬＤ２、ＬＤ３、…における消費電力をそれぞれ計測することができる。
【００２３】
負荷装置ＬＤ１、ＬＤ２、ＬＤ３、…は、整流装置ＲＦから出力された直流電力を、スイッチ装置ＳＷ０、ＳＷ１、ＳＷ２、ＳＷ３、…を介して入力し、動作する電気負荷である。負荷装置ＬＤ１、ＬＤ２、ＬＤ３、…は、例えば、並列して処理を行う複数のサーバなどであり、各負荷装置ＬＤ１、ＬＤ２、ＬＤ３、…は、任意の時刻に遮断や投入が可能である。例えば、負荷装置ＬＤ１、ＬＤ２、ＬＤ３、…がサーバ等である場合、負荷装置ＬＤ１、ＬＤ２、ＬＤ３、…をすべて投入した場合には、消費電力は大きくなるものの、処理能力は大きくなる。他方、負荷装置ＬＤ１、ＬＤ２、ＬＤ３、…の１又は複数を遮断した場合には、処理能力は小さくなるものの、消費電力は小さくなる。
【００２４】
なお、スイッチ装置ＳＷ１、ＳＷ２、ＳＷ３、…と負荷装置ＬＤ１、ＬＤ２、ＬＤ３、…は、それぞれ３台に限らず、３台以上の複数であってもよい。また、負荷装置ＬＤ１、ＬＤ２、ＬＤ３、…は、任意に遮断又は投入できる電気負荷であればサーバ等に限定されない。また、負荷装置ＬＤ１、ＬＤ２、ＬＤ３、…は、すべて同種の装置とするものに限らず、例えば、サーバ、空調装置、照明装置等、異なる種類の装置を含むものとしてもよい。また、制御装置ＣＮの構成の一部又は全部は、例えば、整流装置ＲＦやスイッチ装置ＳＷ０、ＳＷ１、ＳＷ２、ＳＷ３、…のいずれかに含まれていてもよい。
【００２５】
次に、図２〜図６を参照して、制御装置ＣＮの制御による給電システム１の動作例について説明する。なお、以下の動作例において制御装置ＣＮでは、次のような変数を用いて動作する。すなわち、制御装置ＣＮでは、電力上限設定値Ｐｌｉｍｉｔ、ＲＦ最大出力可能電力値Ｐｒｆ＿ｍａｘ、ＲＦ最高効率電力値Ｐｒｆ＿ｅｆｆ、目標電力値Ｐｔａｒ、電力許容範囲Ｐｒａｎ、ＲＦ出力電力値Ｐｏ、及び制御後の予測誤差Ｐｍの各変数が用いられる。
【００２６】
ここで、電力上限設定値Ｐｌｉｍｉｔは、利用者が任意に設定可能な整流装置ＲＦの出力電力の上限値である。例えば、節電のため、負荷装置ＬＤ１、ＬＤ２、ＬＤ３、…による消費電力に上限を設定したい場合等に、整流装置ＲＦの最大出力可能電力値Ｐｒｆ＿ｍａｘ内の所望の値に電力上限設定値Ｐｌｉｍｉｔを設定する。制御装置ＣＮは、整流装置ＲＦの出力電力が電力上限設定値Ｐｌｉｍｉｔを超過しないようにスイッチ装置ＬＤ１、ＬＤ２、ＬＤ３、…を接続又は非接続状態に制御する。ただし、本実施形態では、制御装置ＣＮ内部では、後述する目標電力値Ｐｔａｒを電力上限設定値Ｐｌｉｍｉｔに応じて設定し、この目標電力値Ｐｔａｒを目標値として整流装置ＲＦの出力電力を制御することで、電力上限設定値Ｐｌｉｍｉｔの制御が行われる。
【００２７】
ＲＦ最大出力可能電力値Ｐｒｆ＿ｍａｘは、整流装置ＲＦの仕様上の最大出力可能電力値である。ＲＦ最高効率電力値Ｐｒｆ＿ｍａｘは、例えば、制御装置ＣＮ内の所定の記憶装置に予め記憶されている。
【００２８】
ＲＦ最高効率電力値Ｐｒｆ＿ｅｆｆは、整流装置ＲＦの効率（すなわち入出電力比）が最大となる出力電力の値である。ＲＦ最高効率電力値Ｐｒｆ＿ｅｆｆは、制御装置ＣＮ内の所定の記憶装置に予め記憶されていてもよいし、利用者が任意に設定するようにしてもよい。制御装置ＣＮは、後述する目標電力値ＰｔａｒをＲＦ最高効率電力値Ｐｒｆ＿ｅｆｆに応じて設定し、この目標電力値Ｐｔａｒを目標値として整流装置ＲＦの出力電力を制御することで、ＲＦ最高効率電力値Ｐｒｆ＿ｅｆｆの制御が行われる。
【００２９】
目標電力値Ｐｔａｒは、整流装置ＲＦの出力電力の目標値である。制御装置ＣＮは、スイッチ装置ＬＤ１、ＬＤ２、ＬＤ３、…を接続又は非接続に制御することで、整流装置ＲＦの出力電力を目標電力値Ｐｔａｒに可能な限り一致させる。
【００３０】
電力許容範囲Ｐｒａｎは、目標電力値Ｐｔａｒに対して設定された一定の制御範囲を示す値である。電力許容範囲Ｐｒａｎは、制御装置ＣＮ内の所定の記憶装置に予め記憶されていてもよいし、利用者が任意に設定するようにしてもよい。制御装置ＣＮは、目標電力値Ｐｔａｒを中心として、上下に電力許容範囲Ｐｒａｎの値を幅を持たせて、整流装置ＲＦの出力電力を目標電力値Ｐｔａｒに一致させるように制御する。
【００３１】
ＲＦ出力電力値Ｐｏは、整流装置ＲＦの出力電力の実測値又はスイッチ装置ＳＷ１、ＳＷ２、ＳＷ３、…を接続又は非接続する場合に予測される出力電力の予測値を格納する変数である。ＲＦ出力電力値Ｐｏは、スイッチ装置ＳＷ０の出力電力値として計測するとこもできるし、スイッチ装置ＳＷ１、ＳＷ２、ＳＷ３、…で計測した負荷装置ＬＤ１、ＬＤ２、ＬＤ３、…の消費電力の合計値として計測することもできる。
【００３２】
制御後の予測誤差Ｐｍは、ＲＦ出力電力値Ｐｏ（この場合、スイッチ装置ＳＷ１、ＳＷ２、ＳＷ３、…を接続又は非接続する場合に予測される出力電力の計算結果）と目標電力値Ｐｔａｒとの偏差を格納する変数である。
【００３３】
図２において、制御装置ＣＮは、動作を開始すると、まず、電力上限設定値Ｐｌｉｍｉｔ、ＲＦ最大出力可能電力値Ｐｒｆ＿ｍａｘ、ＲＦ最高効率電力値Ｐｒｆ＿ｅｆｆ、目標電力値Ｐｔａｒ、電力許容範囲Ｐｒａｎの設定値又はその変更値を確認する（ステップＳ１０１）。次に、制御装置ＣＮは、所定のタイマーを初期化する（ステップＳ１０２）。このタイマーは、後述するステップＳ１１０での所定時間の経過を判定するために用いられる。
【００３４】
次に、制御装置ＣＮは、ステップＳ１０１での処理結果に基づき各設定値を更新したり、ＲＦデータすなわちＲＦ出力電力値Ｐｏの値を更新する（ステップＳ１０３）。制御装置ＣＮは、例えばスイッチ装置ＳＷ０から出力電力値を表す情報を取得することで、ＲＦ出力電力値Ｐｏの値を更新する。
【００３５】
次に、制御装置ＣＮは、電力上限設定値Ｐｌｉｍｉｔ又はＲＦ最高効率電力値Ｐｒｆ＿ｅｆｆに変更があったか否かを判定する（ステップＳ１０４）。電力上限設定値Ｐｌｉｍｉｔ又はＲＦ最高効率電力値Ｐｒｆ＿ｅｆｆに変更があった場合（ステップＳ１０４で「Ｙ」の場合）、ＲＦ最高効率電力値Ｐｒｆ＿ｅｆｆと、（電力上限設定値Ｐｌｉｍｉｔ−電力許容範囲Ｐｒａｎ）とを比較する（ステップＳ１０５）。ＲＦ最高効率電力値Ｐｒｆ＿ｅｆｆが、（電力上限設定値Ｐｌｉｍｉｔ−電力許容範囲Ｐｒａｎ）より小さい場合（ステップＳ１０５で「Ｙ」の場合）、目標電力値ＰｔａｒをＲＦ最高効率電力値Ｐｒｆ＿ｅｆｆとする（ステップＳ１０６）。一方、ＲＦ最高効率電力値Ｐｒｆ＿ｅｆｆが、（電力上限設定値Ｐｌｉｍｉｔ−電力許容範囲Ｐｒａｎ）より小さくない場合（ステップＳ１０５で「Ｎ」の場合）、目標電力値Ｐｔａｒを（電力上限設定値Ｐｌｉｍｉｔ−電力許容範囲Ｐｒａｎ）とする（ステップＳ１０７）。
【００３６】
制御装置ＣＮは、目標電力値Ｐｔａｒ±電力許容範囲Ｐｒａｎの範囲で、整流装置ＲＦのＲＦ出力電力値Ｐｏを制御する。すなわち、整流装置ＲＦのＲＦ出力電力値Ｐｏの最大値は、目標電力値Ｐｔａｒ＋電力許容範囲Ｐｒａｎの値以下に制御されることになる。ここで、電力上限設定値Ｐｌｉｍｉｔは、整流装置ＲＦのＲＦ出力電力値Ｐｏの上限値を表す値である。よって、ＲＦ出力電力値Ｐｏの最大値となりえる目標電力値Ｐｔａｒ＋電力許容範囲Ｐｒａｎの値を、電力上限設定値Ｐｌｉｍｉｔに一致させることで、ＲＦ出力電力値Ｐｏの上限値を電力上限設定値Ｐｌｉｍｉｔ以下に制御できることになる。すなわち、Ｐｔａｒ＋Ｐｒａｎ＝Ｐｌｉｍｉｔから、Ｐｔａｒ＝Ｐｌｉｍｉｔ−Ｐｒａｎとなる。
【００３７】
他方、目標電力値ＰｔａｒをＲＦ最高効率電力値Ｐｒｆ＿ｅｆｆとする場合には、目標電力値Ｐｔａｒ＝ＲＦ最高効率電力値Ｐｒｆ＿ｅｆｆとすることで、制御範囲をＲＦ最高効率電力値Ｐｒｆ＿ｅｆｆ±電力許容範囲Ｐｒａｎの範囲とすることができる。よって、この場合、ＲＦ出力電力値Ｐｏを、ＲＦ最高効率電力値Ｐｒｆ＿ｅｆｆを中心値とする一定の範囲内に制御することができる。
【００３８】
次に、制御装置ＣＮは、ステップＳ１０３で更新したＲＦ出力電力値Ｐｏ（ここでは実測値が格納されている）と、電力上限設定値Ｐｌｉｍｉｔとを比較する（ステップＳ１０８）。ＲＦ出力電力値Ｐｏが、電力上限設定値Ｐｌｉｍｉｔより小さい場合は（ステップＳ１０８で「Ｙ」の場合は）、ステップＳ１０３で更新したＲＦ出力電力値Ｐｏ（実測値）と、ＲＦ最大出力可能電力値Ｐｒｆ＿ｍａｘとを比較する（ステップＳ１０９）。そして、ステップＳ１０３で更新したＲＦ出力電力値Ｐｏ（実測値）が、ＲＦ最大出力可能電力値Ｐｒｆ＿ｍａｘより小さい場合は（ステップＳ１０９で「Ｙ」の場合は）、ステップＳ１０２でタイマーが初期化されてからが５分経過したか否かを判定する（ステップＳ１１０）。
【００３９】
ステップＳ１１０で５分経過していないと判定された場合（ステップＳ１１０で「Ｎ」の場合）、ステップＳ１０３へ戻り、上述したようにしてステップＳ１０３以上の処理が繰り返し実行される。
【００４０】
一方、ステップＳ１１０で５分経過したと判定された場合（ステップＳ１１０で「Ｙ」の場合）、又は、ステップＳ１０８若しくはステップＳ１０９で「Ｎ」と判定された場合、ステップＳ１１１で負荷データが更新される。すなわち、ステップＳ１１１で、制御装置ＣＮは、スイッチ装置ＳＷ１、ＳＷ２、ＳＷ３、…から出力電力値を取得することで、各負荷装置ＬＤ１、ＬＤ２、ＬＤ３、…の消費電力値を計測する。そして、続いて制御装置ＣＮは、負荷制御（処理Ａとする）を実行する（ステップＳ１１２）。
【００４１】
ステップＳ１０８又はステップＳ１０９で判定結果が「Ｎ」となるのは、ＲＦ出力電力値Ｐｏ（実測値）が、電力上限設定値Ｐｌｉｍｉｔ又はＲＦ最大出力可能電力値Ｐｒｆ＿ｍａｘ以上となった場合である。一方、ステップＳ１１０で判定結果が「Ｙ」となるのは、ステップＳ１０８又はステップＳ１０９で判定結果が「Ｎ」となることなく、ステップＳ１０３〜Ｓ１１０の処理を繰り返し５分間継続して実行した場合である。すなわち、制御装置ＣＮは、ＲＦ出力電力値Ｐｏ（実測値）が、電力上限設定値Ｐｌｉｍｉｔ又はＲＦ最大出力可能電力値Ｐｒｆ＿ｍａｘ以上となった場合、５分の経過を待たずに、負荷データの更新（ステップＳ１１１）と、更新した負荷データに基づく負荷制御（ステップＳ１１２）を実行する。一方、ＲＦ出力電力値Ｐｏ（実測値）が、電力上限設定値Ｐｌｉｍｉｔ又はＲＦ最大出力可能電力値Ｐｒｆ＿ｍａｘ以上とならない場合、５分毎に、負荷データの更新（ステップＳ１１１）と、更新した負荷データに基づく負荷制御（ステップＳ１１２）とが実行されることになる。
【００４２】
次に、図３を参照して、図２のステップＳ１１２で呼び出される処理である処理Ａの流れについて説明する。制御装置ＣＮは、ステップＳ１０３で更新したＲＦ出力電力値Ｐｏ（実測値）と、目標電力値Ｐｔａｒ＋電力許容範囲Ｐｒａｎとを比較する（ステップＳ２０１）。そして、ＲＦ出力電力値Ｐｏ（実測値）が、目標電力値Ｐｔａｒ＋電力許容範囲Ｐｒａｎより大きい場合（ステップＳ２０１で「Ｙ」の場合）には、負荷遮断制御（処理Ｂとする）が実行される（ステップＳ２０２）。ステップＳ２０１で判定結果が「Ｙ」となる場合は、図４に示すように、ＲＦ出力電力値Ｐｏ（実測値）が、目標電力値Ｐｔａｒ＋電力許容範囲Ｐｒａｎより大きい場合である。この場合、ステップＳ２０２では、ＲＦ出力電力値Ｐｏの予測値が、目標電力値Ｐｔａｒ±電力許容範囲Ｐｒａｎの範囲内にできるだけ収まるように遮断すべきスイッチ装置ＳＷ０、ＳＷ１、ＳＷ２、ＳＷ３、…が探索される。
【００４３】
一方、ＲＦ出力電力値Ｐｏ（実測値）が、目標電力値Ｐｔａｒ＋電力許容範囲Ｐｒａｎより大きくない場合（ステップＳ２０１で「Ｎ」の場合）、ＲＦ出力電力値Ｐｏ（実測値）と、目標電力値Ｐｔａｒ−電力許容範囲Ｐｒａｎとが比較される（ステップＳ２０３）。そして、ＲＦ出力電力値Ｐｏ（実測値）が、目標電力値Ｐｔａｒ−電力許容範囲Ｐｒａｎより小さい場合（ステップＳ２０３で「Ｙ」の場合）には、負荷投入制御（処理Ｃとする）が実行される（ステップＳ２０４）。ステップＳ２０３で判定結果が「Ｙ」となる場合は、ＲＦ出力電力値Ｐｏ（実測値）が、目標電力値Ｐｔａｒ−電力許容範囲Ｐｒａｎより小さくなる場合、すなわち、図４の電力許容範囲を下回る場合である。この場合、ステップＳ２０４では、ＲＦ出力電力値Ｐｏの予測値が、目標電力値Ｐｔａｒ±電力許容範囲Ｐｒａｎの範囲内にできるだけ収まるように投入すべきスイッチ装置ＳＷ０、ＳＷ１、ＳＷ２、ＳＷ３、…が探索される。
【００４４】
他方、ＲＦ出力電力値Ｐｏ（実測値）が、目標電力値Ｐｔａｒ−電力許容範囲Ｐｒａｎ以上の場合（ステップＳ２０３で「Ｎ」の場合）には、負荷投入制御（処理Ｃとする）は行われず、処理Ａが終了する。ステップＳ２０３で判定結果が「Ｎ」となる場合は、ＲＦ出力電力値Ｐｏ（実測値）が、目標電力値Ｐｔａｒ−電力許容範囲Ｐｒａｎ以上の場合、すなわち、図４の電力許容範囲内に位置する場合である。
【００４５】
制御装置ＣＮは、負荷遮断制御（処理Ｂ）（ステップＳ２０２）又は負荷投入制御（処理Ｃ）（ステップＳ２０４）が終了すると、負荷遮断制御（処理Ｂ）（ステップＳ２０２）又は負荷投入制御（処理Ｃ）（ステップＳ２０４）で遮断又は投入が選択された切り替え予定のスイッチ装置ＳＷ０、ＳＷ１、ＳＷ２、ＳＷ３、…に対して切替信号を送出する（ステップＳ２０５）。次に、制御装置ＣＮは、１分間待機し（ステップＳ２０６）、処理Ａを終了する。すなわち、ステップＳ２０６の後、図２のステップＳ１１２へ戻る。
【００４６】
なお、ステップＳ２０６で１分間待機するのは、負荷装置ＬＤ１、ＬＤ２、ＬＤ３、…が停止又は起動に要する時間を確保するためである。よって、１分間に限らず、負荷によってより短時間としたりより長時間としたりすることができる。また、負荷装置ＬＤ１、ＬＤ２、ＬＤ３、…が例えばサーバのようなソフトウェアを構成要素とするコンピュータ装置である場合、スイッチ装置ＳＷ１、ＳＷ２、ＳＷ３、…を非接続化（つまり遮断）する制御では、スイッチ装置ＳＷ１、ＳＷ２、ＳＷ３、…の非接続化に先立って負荷装置ＬＤ１、ＬＤ２、ＬＤ３、…に所定の制御信号を送信することで、負荷装置ＬＤ１、ＬＤ２、ＬＤ３、…を事前にシャットダウンしておいてもよい。
【００４７】
次に、図５を参照して、図３のステップＳ２０２で呼び出される負荷遮断制御（処理Ｂ）の流れについて説明する。まず、制御装置ＣＮは、負荷装置ＬＤ１、ＬＤ２、ＬＤ３、…を消費電力の大きな順番に負荷１、２、…、ｎとし、その消費電力をＰ１、Ｐ２、…、Ｐｎとする（ステップＳ３０１）。ここで、ｎは負荷装置ＬＤ１、ＬＤ２、ＬＤ３、…の個数であり、また、Ｐ１≧Ｐ２≧…≧Ｐｎである。次に、制御装置ＣＮは、変数Ｐｍ、変数ｉ及び変数ｍを初期化する（ステップＳ３０２）。ここで、変数Ｐｍは、制御後の予測誤差を格納する変数である。ステップＳ３０２では、変数Ｐｍを、ＲＦ出力電力値Ｐｏ（実測値）が電力上限設定値Ｐｌｉｍｉｔ又はＲＦ最大出力可能電力値Ｐｒｆ＿ｍａｘより大きい場合には、ＲＦ出力電力値Ｐｏ（実測値）とする。それ以外の場合には、変数Ｐｍを、電力許容範囲Ｐｒａｎとする。ここでは、ＲＦ出力電力値Ｐｏ（実測値）が電力上限設定値Ｐｌｉｍｉｔ又はＲＦ最大出力可能電力値Ｐｒｆ＿ｍａｘより大きい場合に、変数Ｐｍには制御後の予測誤差の最大値（すなわち負荷を遮断しなかった場合の値）を格納することで、以後の処理で少なくとも１個の負荷が遮断対象として選択できるようにしている。変数ｉは、負荷１、２、…、ｎの１、２、…、ｎの数字を表す変数である。変数ｍは、負荷１、２、…、ｎのうち、制御後の予測誤差Ｐｍを最小とする１個の負荷の数字（すなわち負荷１、２、…、ｎの１、２、…、ｎのいずれか）が格納される。変数ｉは１に、変数ｍは０に初期化される。
【００４８】
次に、制御装置ＣＮは、負荷ｉのスイッチ装置が接続状態か否かを判定する（ステップＳ３０３）。負荷ｉのスイッチ装置が接続状態でない場合（ステップＳ３０３で「Ｎ」の場合）、当該負荷ｉは非接続状態とすること（すなわち遮断すること）はできないので、ステップＳ３１１へ進み、次の負荷ｉ＋１を判定対象とする。一方、負荷ｉのスイッチ装置が接続状態の場合（ステップＳ３０３で「Ｙ」の場合）、ＲＦ出力電力値Ｐｏ（実測値）−負荷ｉの消費電力Ｐｉが目標電力値Ｐｔａｒ−電力許容範囲Ｐｒａｎより大きいか、又は、ＲＦ出力電力値Ｐｏ（実測値）が電力上限設定値Ｐｌｉｍｉｔ若しくはＲＦ最大出力可能電力値Ｐｒｆ＿ｍａｘより大きいか、否かが判定される（ステップＳ３０４）。
【００４９】
ステップＳ３０４の判定では、負荷ｉを遮断する必要性の有無が判定される。すなわち、ＲＦ出力電力値Ｐｏ（実測値）又は（予測値）が電力上限設定値Ｐｌｉｍｉｔ又はＲＦ最大出力可能電力値Ｐｒｆ＿ｍａｘより大きい場合には、少なくとも１つの負荷１、２、…、ｎを切断する必要がある。よって、ステップＳ３０６又はステップＳ３１３で遮断予定の負荷が少なくとも１つ設定されるようにステップＳ３０４の判定結果が「Ｙ」となるようにしている。これに対し、ＲＦ出力電力値Ｐｏ（実測値）又は（予測値）が電力上限設定値Ｐｌｉｍｉｔ又はＲＦ最大出力可能電力値Ｐｒｆ＿ｍａｘより大きくない場合には、ＲＦ出力電力値Ｐｏ（実測値）又は（予測値）が図４に示した電力許容範囲内となる場合にのみ負荷ｉを遮断することが必要であると判定している。ステップＳ３０４の判定結果が「Ｎ」となった場合には、ステップＳ３１１へ進み、次の負荷ｉ＋１を判定対象とする。
【００５０】
ステップＳ３０４の判定結果が「Ｙ」となった場合、制御装置ＣＮは、ＲＦ出力電力値Ｐｏ（実測値）又は（予測値）−負荷ｉの消費電力Ｐｉが目標電力値Ｐｔａｒ＋電力許容範囲Ｐｒａｎより大きいか否かを判定する（ステップＳ３０５）。比較対象となるＲＦ出力電力値Ｐｏは、ステップＳ３０７が１度も行われていない場合は実測値であり、ステップＳ３０７が１度以上行われた場合は予測値となる。
【００５１】
ステップＳ３０５の判定結果が「Ｙ」となった場合、制御装置ＣＮは、負荷ｉのスイッチ装置（すなわち負荷ｉに接続されているスイッチ装置ＳＷ０、１、２、…のいずれか）を非接続することに予定する（ステップＳ３０６）。そして、制御装置ＣＮは、ＲＦ出力電力値Ｐｏ（実測値）又は（予測値）から負荷ｉの消費電力Ｐｉを減じることで、ＲＦ出力電力値Ｐｏ（予測値）を更新する（ステップＳ３０７）。このステップＳ３０７では、負荷ｉを遮断することで予測される減算分を減じた後のＲＦ出力電力値Ｐｏ（予測値）が予測される。
【００５２】
一方、ステップＳ３０５の判定結果が「Ｎ」となった場合、制御装置ＣＮは、制御後の予測誤差Ｐｍと、ＲＦ出力電力値Ｐｏ（実測値）又は（予測値）から負荷ｉの消費電力Ｐｉと目標電力値Ｐｔａｒとを減じた値の絶対値とを比較する（ステップＳ３０８）。ステップＳ３０８の判定結果が「Ｙ」となった場合、すなわち、制御後の予測誤差Ｐｍが、ＲＦ出力電力値Ｐｏ（実測値）又は（予測値）から負荷ｉの消費電力Ｐｉと目標電力値Ｐｔａｒとを減じた値の絶対値より大きい場合、ＲＦ出力電力値Ｐｏ（実測値）又は（予測値）から負荷ｉの消費電力Ｐｉと目標電力値Ｐｔａｒとを減じた値の絶対値で、制御後の予測誤差Ｐｍを更新する（ステップＳ３０９）。そして、制御装置ＣＮは、変数ｍに変数ｉの値を格納する（ステップＳ３１０）。このステップＳ３０８〜Ｓ３１０の処理を繰り返すことで、ステップＳ３１０では制御後の予測誤差Ｐｍを最小とする１個の負荷ｉのｉの値が変数ｍに格納される。
【００５３】
他方、ステップＳ３０８の判定結果が「Ｎ」の場合は、ステップＳ３１１へ進み、次の負荷ｉ＋１を判定対象とする。
【００５４】
ステップＳ３１１で変数ｉを１増分した後は、ステップＳ３１２で変数ｉがｎより大きいか否かが判定される。ステップＳ３１２でｉがｎより大きくないと判定された場合には（ステップＳ３１２で「Ｎ」の場合には）、ステップＳ３０３以降の処理が繰り返し実行される。他方、ステップＳ３１２でｉがｎより大きいと判定された場合には（ステップＳ３１２で「Ｙ」の場合には）、負荷ｍのスイッチ装置（すなわち負荷ｍに接続されているスイッチ装置ＳＷ０、１、２、…のいずれか）を非接続することが予定される（ステップＳ３１３）。なお、変数ｍが初期化時の０のままである場合には、非接続とするスイッチ装置はここでは予定されない。
【００５５】
以上の処理で、図５の負荷遮断処理（処理Ｂ）では、ＲＦ出力電力値Ｐｏ（実測値）が電力上限設定値Ｐｌｉｍｉｔ又はＲＦ最大出力可能電力値Ｐｒｆ＿ｍａｘより大きい場合には、ステップＳ３０６で遮断予定に設定された負荷か、ステップＳ３０８の判定等の処理の結果、ＲＦ出力電力値Ｐｏ（実測値）又は（予測値）から負荷ｉの消費電力Ｐｉと目標電力値Ｐｔａｒとを減じた値の絶対値が最小となるものとして探索された負荷の少なくとも１個が、遮断予定の負荷に設定される。一方、ＲＦ出力電力値Ｐｏ（実測値）が電力上限設定値Ｐｌｉｍｉｔ又はＲＦ最大出力可能電力値Ｐｒｆ＿ｍａｘより大きくない場合には、遮断後のＲＦ出力電力値Ｐｏ（予測値）が図４に示した電力許容範囲内にある場合にのみ、ステップＳ３０６の処理、又はステップＳ３０８〜Ｓ３１０及びＳ３１３の処理で遮断予定の負荷が選択される。
【００５６】
図５の負荷遮断処理（処理Ｂ）が終了すると、図３のステップＳ２０５で遮断予定に設定されたスイッチ装置に切り替え信号（すなわち接続状態のスイッチ装置を非接続状態とする信号）が送出される（ステップＳ２０５）。
【００５７】
次に、図６を参照して、図３のステップＳ２０４で呼び出される負荷投入制御（処理Ｃ）の流れについて説明する。まず、制御装置ＣＮは、負荷装置ＬＤ１、ＬＤ２、ＬＤ３、…を消費電力の小さな順番に負荷１、２、…、ｎとし、その消費電力をＱ１、Ｑ２、…、Ｑｎとする（ステップＳ４０１）。ここで、ｎは負荷装置ＬＤ１、ＬＤ２、ＬＤ３、…の個数であり、また、Ｑ１≦Ｑ２≦…≦Ｑｎである。次に、制御装置ＣＮは、変数Ｐｍ、変数ｉ及び変数ｍを初期化する（ステップＳ４０２）。ここで、変数Ｐｍは、制御後の予測誤差を格納する変数である。ステップＳ４０２では、変数Ｐｍを、電力許容範囲Ｐｒａｎとする。変数ｉは、負荷１、２、…、ｎの１、２、…、ｎの数字を表す変数である。変数ｍは、負荷１、２、…、ｎのうち、制御後の予測誤差Ｐｍを最小とする負荷の数字（すなわち負荷１、２、…、ｎの１、２、…、ｎのいずれか）が格納される。変数ｉは１に、変数ｍは０に初期化される。
【００５８】
次に、制御装置ＣＮは、負荷ｉのスイッチ装置が非接続状態か否かを判定する（ステップＳ４０３）。負荷ｉのスイッチ装置が非接続状態でない場合（ステップＳ４０３で「Ｎ」の場合）、当該負荷ｉは接続状態とすること（すなわち投入すること）はできないので、ステップＳ４１１へ進み、次の負荷ｉ＋１を判定対象とする。一方、負荷ｉのスイッチ装置が非接続状態の場合（ステップＳ４０３で「Ｙ」の場合）、ＲＦ出力電力値Ｐｏ（実測値）＋負荷ｉの消費電力Ｑｉが目標電力値Ｐｔａｒ＋電力許容範囲Ｐｒａｎより大きいか否かが判定される（ステップＳ４０４）。
【００５９】
ステップＳ４０４は、ＲＦ出力電力値Ｐｏ（実測値）又は（予測値）が図４に示した電力許容範囲内となか否かを判定する処理であり、範囲内と判定された場合のみ負荷ｉを投入するか否かを判定する処理がさらに行われる。ステップＳ４０４の判定結果が「Ｎ」となった場合には、ステップＳ４１１へ進み、次の負荷ｉ＋１を判定対象とする。
【００６０】
ステップＳ４０４の判定結果が「Ｙ」となった場合、制御装置ＣＮは、ＲＦ出力電力値Ｐｏ（実測値）又は（予測値）＋負荷ｉの消費電力Ｑｉが目標電力値Ｐｔａｒ−電力許容範囲Ｐｒａｎより小さいか否かを判定する（ステップＳ４０５）。比較対象となるＲＦ出力電力値Ｐｏは、ステップＳ４０７が１度も行われていない場合は実測値であり、ステップＳ４０７が１度以上行われた場合は予測値となる。
【００６１】
ステップＳ４０５の判定結果が「Ｙ」となった場合、制御装置ＣＮは、負荷ｉのスイッチ装置（すなわち負荷ｉに接続されているスイッチ装置ＳＷ０、１、２、…のいずれか）を接続することに予定する（ステップＳ４０６）。そして、制御装置ＣＮは、ＲＦ出力電力値Ｐｏ（実測値）又は（予測値）に負荷ｉの消費電力Ｑｉを加算することで、ＲＦ出力電力値Ｐｏ（予測値）を更新する（ステップＳ４０７）。このステップＳ４０７では、負荷ｉを投入することで予測される増加分を加算したＲＦ出力電力値Ｐｏ（予測値）の予測値が算出される。
【００６２】
一方、ステップＳ４０５の判定結果が「Ｎ」となった場合、制御装置ＣＮは、制御後の予測誤差Ｐｍと、ＲＦ出力電力値Ｐｏ（実測値）又は（予測値）に負荷ｉの消費電力Ｑｉを加算するとともに目標電力値Ｐｔａを減じた値の絶対値とを比較する（ステップＳ４０８）。ステップＳ４０８の判定結果が「Ｙ」となった場合、すなわち、制御後の予測誤差Ｐｍが、ＲＦ出力電力値Ｐｏ（実測値）又は（予測値）に負荷ｉの消費電力Ｑｉを加算するとともに目標電力値Ｐｔａを減じた値の絶対値より大きい場合、ＲＦ出力電力値Ｐｏ（実測値）又は（予測値）に負荷ｉの消費電力Ｑｉを増加させるとともに目標電力値Ｐｔａｒを減じた値の絶対値で、制御後の予測誤差Ｐｍを更新する（ステップＳ４０９）。そして、制御装置ＣＮは、変数ｍに変数ｉの値を格納する（ステップＳ４１０）。このステップＳ４０８〜Ｓ４１０の処理を繰り返すことで、ステップＳ４１０では制御後の予測誤差Ｐｍを最小とする１個の負荷ｉのｉの値が変数ｍに格納される。
【００６３】
他方、ステップＳ４０８の判定結果が「Ｎ」の場合は、ステップＳ４１１へ進み、次の負荷ｉ＋１を判定対象とする。
【００６４】
ステップＳ４１１で変数ｉを１増分した後は、ステップＳ４１２で変数ｉがｎより大きいか否かが判定される。ステップＳ４１２でｉがｎより大きくないと判定された場合には（ステップＳ４１２で「Ｎ」の場合には）、ステップＳ４０３以降の処理が繰り返し実行される。他方、ステップＳ４１２でｉがｎより大きいと判定された場合には（ステップＳ４１２で「Ｙ」の場合には）、負荷ｍのスイッチ装置（すなわち負荷ｍに接続されているスイッチ装置ＳＷ０、１、２、…のいずれか）が接続予定とされる（ステップＳ４１３）。なお、変数ｍが初期化時の０のままである場合には、接続するスイッチ装置はここでは予定されない。
【００６５】
以上の処理で、図６の負荷投入処理（処理Ｃ）では、投入後のＲＦ出力電力値Ｐｏ（予測値）が電力許容範囲内にある場合にのみ、ステップＳ４０６の処理、又はステップＳ４０８〜Ｓ４１０及びステップＳ４１３の処理で投入予定のスイッチ装置が選択される。
【００６６】
図６の負荷投入処理（処理Ｃ）が終了すると、図３のステップＳ２０５で投入予定に設定されたスイッチ装置に切り替え信号（すなわち非接続状態のスイッチ装置を接続状態とする信号）が送出される（ステップＳ２０５）。
【００６７】
なお、図５や図６を参照して説明した遮断又は投入予定とするスイッチ装置の探索処理は、一例であって他の探索手法を用いることもできる。図７は、探索手法のいくつかの例をまとめて示した図表である。図７では、図５及び図６に示した探索手法を一番上の行に示している。すなわち、図５及び図６に示した探索手法では、探索された順に所定の条件を満たすスイッチ装置を接続又は非接続とするものであり、かつ、遮断するスイッチ装置を接続された負荷装置の消費電力が大きなものから小さなものへと探索するとともに、投入するスイッチ装置を接続された負荷装置の消費電力が小さいものから大きなものへと探索している。この探索手法では、稼働している負荷の数を最大とすることができ、負荷の冗長が取りやすく、信頼性の向上が見込みやすいという効果が得られる。
【００６８】
また、他の探索手法では、探索された順に所定の条件を満たすスイッチ装置を接続又は非接続とする際に、遮断する負荷を消費電力の小さい負荷から探索するとともに、投入する負荷を消費電力の大きな負荷から探索している。この探索手法では、稼働している負荷の数を最小とすることができ、負荷の待機電力を削減し、省エネとなるという効果が得られる。
【００６９】
また、他の探索手法では、探索された順に所定の条件を満たすスイッチ装置を接続又は非接続とする際に、遮断する負荷を累積遮断時間の短い負荷から探索するとともに、投入する負荷を累積遮断時間の長い負荷から探索している。この探索手法では、各負荷の遮断している時間を平準化することができ、負荷やスイッチ装置の寿命を延ばすことが可能となる。
【００７０】
また、他の探索手法では、探索された順に所定の条件を満たすスイッチ装置を接続又は非接続とする際に、遮断する負荷を消費電力の大きな負荷から探索するとともに、消費電力の大きな負荷から探索している。この探索手法によれば、切替を行うスイッチ装置の数を最小とすることができ、スイッチ装置へのストレスを軽減し、スイッチ装置の故障頻度を抑制することができる。
【００７１】
なお、本発明の実施の形態は上記のものに限定されず、例えば負荷の遮断や投入を１回のループで選択的にどちらか一方としているものを、１回のループ内で直列的に同時に行えるようにする等の変更を適宜行うことができる。また、整流装置ＲＦには、例えば蓄電装置を並列的に接続することで、商用電源ＧＰ切断時にも電力を供給できるような構成としたり、商用電源ＧＰを自家発電装置に変更したり、自家発電装置と併用できる構成を採用したりすることができる。
【符号の説明】
【００７２】
ＣＮ  制御装置
ＲＦ  整流装置
ＳＷ０〜ＳＷ３  スイッチ装置
ＬＤ１〜ＬＤ３  負荷装置
ＮＷ  ネットワーク
【図１】
0005923327.tif 000002
【図２】
0005923327.tif 000003
【図３】
0005923327.tif 000004
【図４】
0005923327.tif 000005
【図５】
0005923327.tif 000006
【図６】
0005923327.tif 000007
【図７】
0005923327.tif 000008